(57)【要約】【課題】  エルボを介いして水平方向と垂直方向とに分けると共に、特に回転取付け性に優れる電蝕防止構造の水道メータ回り構造体。【解決手段】  配水管などの一般家庭などに引き込まれる引込管において、水道メータの上流側や下流側などにおいてＲ状曲部であるエレボを設けると共に、回転可能なニップルをその元部にＯリングと止着具を介して組み合わせる。【選択図】  図３
2006138191.tif 000002
【特許請求の範囲】
【請求項１】
配水管などの一般家庭などに引き込まれる引込管において、水道メータの上流側や下流側などにおいてＲ状曲部であるエルボを設けると共に、回転可能なニップルをその元部にＯリングと止着具を介して組み合わせることを特徴とする水道メータ回り構造体。
【発明の詳細な説明】
【技術分野】
【０００１】  この発明は、エルボを介して水平方向と垂直方向とに分けると共に、特に回転取付け性に優れる電蝕防止構造の水道メ−タ回り構造体に関するものである。
【背景技術】
【０００２】  従来、集合住宅などの水道メ−タ回り構造には、水道メータを挟んでその上流側と下流側とに分かれており、上流側および下流側においてエルボなどの接続継手を連結し水道メタ−を水平方向と垂直方向に配管している。【０００３】  具体的には、メ−タ−・ユニットの構造として主として２つの構造よりなる。その引き込み管の代表的なものは、図４に示したように、その上流側Ｘのステンレス鋼管３，４などにねじ付ソケット３ａ，４ａなどを介して垂直方向に配管すると共に、エルボ２を介してねじ付ソケット２ａ，２ａを水道メータ１に水平方向に接続している。また、水道メータ１の下流側Ｙも同様にエルボ２を介し、水道メータ１と水平方向及び垂直方向に配置した構造としている。すなわち、各種の接続用継手を一つ々々接続しながら組み立てしている。【０００４】  また、図５示すように、メータ・ユニットの上流側Ｘと下流側Ｙの垂直方向や水平方向との接続を、ステンレス鋼管６などのような蛇腹部６ａを用いたものとしたものもある。このような、蛇腹部６ａを用いたステンレス鋼管６の場合には上流側Ｘと下流側Ｙの垂直な部分を容易に曲げることが出来、狭い場所において容易にたわみ配管をすることが可能となる。しかし、エルボ５とされるＲ部分の曲がりは大きくなり、集合住宅などの水道メ−タ回り構造としては狭いスペースでの作業がしずらく、また、Ｒ状のエルボ５とが一体的に固着さるために、配管に際しては固定された際の作業性がきわめて困難となる。
【発明の開示】
【発明が解決しようとする課題】
【０００５】  このように、図４に示した一つ々々のエルボを接続して行なう配管は、湾曲コーナ部（Ｒ状）を形成するに際してその両端部をＲ状に屈曲させなければならず、数多くの作業に手間がかかることとなる。さらに、その両端部は、エルボの締めを行なわなければならず、狭いスペースで数多くの繰り返しの作業を強いることとなる。【０００６】  一方、ステンレス鋼管などのような蛇腹部を用いたものは、上記したものに比べてその湾曲コーナ部の形成が容易に思えるが、狭いスペースでの作業はＲ状のエルボの配管が急峻なものとされることが多い。このため、数多くの湾曲コーナ部を蛇腹部により形成することはかえって困難な作業であった。【０００７】  その上、数多くの湾曲コーナ部を蛇腹部として形成するに際し、蛇腹部を用いたステンレス鋼管との組み合わせはＲ状のエルボとが一体的に固着さるように、配管に際しては全体を回転させる必要がある。したがって、配管に際してはＲ状に固定される際の作業性がきわめて困難となる。このように、Ｒ状のエルボを周方向に自由に回転させることができれば、接続も一度のねじ込みて完了するという利点がある。【０００８】  この発明は、上記のような事情に鑑みてなされたものであり、その目的とするところは、Ｒ状エルボに対し上流側と下流側などを回転自在として配管可能とした電蝕防止構造の水道メ−タ回り構造体を提供することにある。
【課題を解決するための手段】
【０００９】  この発明は、上記のような目的を違成するために、請求項１記載のように、配水管など一般家庭などに引き込まれる引込管において、水道メータの上流側や下流側などにおいてＲ状曲部であるエルボを設けると共に、回転可能なニップルをその元部にＯリングと止着具を介して組み合わせることを特徴とする水道メ−タ回り構造体。
【発明の効果】
【００１０】  この発明の効果としては、Ｒ状湾曲コーナ部を形成するに際して通常よりも急峻なコーナ部とすることが出来ると共に、配管施工時には端部を回転自在として作業性の向上を図ることができ、且つ、電蝕防止の図られる水道メ−タ回り構造体を提供することができる。
【発明を実施するための最良の形態】
【００１１】  以下、この発明の実施例を図面に基づき詳細に説明する。図１は、この発明に係る水道メ−タ回り構造体の概略構造を示す全体説明図である。また、図３はその詳細な構造説明図である。【００１２】  図１に示すように、この発明に係る水道メ−タ回り構造体は、蛇腹部を有するステンレス鋼管のようなフレキシブル鋼管１０（同図にあってはブレードに覆われている）と、エルボ１１と、回転用ニップル１２とにより構成されている。フレキシブル鋼管１０の端部はエルボ１１の一端側と嵌め合わされており、エルボ１１の先端側は水平方向に設置されると共に、回転用ニップル１２の元部が外嵌されている。なお、水道メ−タなどのその他の部分は従来と同様であり詳細な説明は省略をする。【００１３】  図３に示すように、フレキシブル鋼管１０はストレート鋼管とされており、その上下端部はそれぞれスリーブ１３およびエルボ１１の垂直部分の差込部１１ａ，１１ａとされている。また、それぞれの差込部１１ａ，１１ａはスリーブ１３が内側から押圧され、またエルボ１１の上端部分も内側から押圧されている。さらに、それぞれの差込部１１ａ，１１ａにおいてスリーブ１３とエルボ１１の上端部分には回転可能にＯリング１４が嵌められている。また、この差込部１１ａ，１１ａにはそれぞれ外側からリング状カシメ部材１５が外嵌され押圧されている。【００１４】  また、このスリーブ１３の上端側にはＬ字状端部を有する絶縁部材１６が装着されている。そして、このスリーブ１３の上端側とスリーブ１３の上端側とに噛合わされる絶縁部材１６に止着された止着金具１７によりナット１８が非接触がされている。【００１５】  一方、エルボ１１は垂直方向と水平方向とに形成されており、その垂直方向１１ａはＯリング２０が係り止されているが、水平方向は回転用ニップル１２の元部１２ａが外嵌される。すなわち、水平方向の肉厚部は回転用ニップル１２の元部１２ａの内周に接するように段部１１ｄが設けられており、その最大厚みの段部１１ｄは回転ニップル１２の中空部の内周面に接合されており、その他の隙間は金属製スリーブ１９，１９とＯリング２０が抜け止めされている。【００１６】  回転用ニップル１２の元部１２ａはストッパー２１により抜け止めが図られている。このように、回転用ニップル１２の元部１２ａはエルボ１１に対して回転可能に取付けられており、中空部であるその先端部のねじ体１２ｂはニップル１２ｃと共に自在に回転することができる。【００１７】  なお、図２（ａ），（ｂ）に示すものは、ナットの上方にさらに継手をつなぐ場合を示しており、図（ａ）の場合のように、雄ねじ３０を有するアダプターと雌ねじ３１を有するアダプターとを互いに連結するようにしている。また、図（ｂ）の場合には、雌ねじ３２を有するアダプターと雄ねじ３３を有するアダプターとを連結するようにしている。【００１８】また、このフレキシブル鋼管１０の外側には金属ブレード２２により覆われており、リング状カシメ部材１３とフレキシブル鋼管１０との間に挿嵌されている。【００１９】  この実施例に係る水道メ−タ回り構造体は、上記のように蛇腹部を有するステンレス鋼管のようなフレキシブル鋼管とエルボと回転用ニップルとに��り構成され、フレキシブル鋼管はエルボと垂直方向に設置されると共に、その先は回転用ニップルが回転自在に外嵌されている。そのため、ステンレス鋼管のようなフレキシブル鋼管とエルボとが垂直方向に結合させることができると共に、エルボは水平方向において周方向に自在に回転することができることとなる。【００２０】  このため、フレキシブル鋼管とエルボの垂直部分及び水平方向においてはＲ角度の曲がりがとることができると共に、従来のＲ角度の曲がりよりも急峻な曲がり角度のエルボとし得ることができ、水平方向において周方向に自在に回転することができることとなる。また、従来のエルボは曲がりの設定のみしかできなかったが、この実施例にあっては、特に水平方向においては回転用ニップルを回動自在とさせることができるので、狭い場所での操作性も大幅に向上することとなる。【００２１】  また、回転ニップルとエルボとの間には金属製スリーブとＯリングとが埋設されているので、絶縁性を確保することができる。【００２２】  したがって、製作コストの低減化を図ると共に、施工時にはエルボの先端部を回転自在として配管の施工性の向上を図り、また電蝕防止の図られた水道メ−タ回り構造体を提供することができる。
【図面の簡単な説明】
【００２３】
【図１】この発明に係る水道メ−タ回り構造体の概略構造を示す全体説明面図である。
【図２】図（ａ），（ｂ）は雄雌の接続用アダプターを示す説明図である。
【図３】この発明に係る詳細な構造説明図である。
【図４】接続用継手を組み合わせる方式の従来の水道メ−タ回り構造体の説明図である。
【図５】蛇腹部を用いた場合の方式を示す従来の水道メ−タ回り構造体の説明図である。
【符号の簡単な説明】
【００２４】１０  フレキシブル鋼管
１１  エルボ
１２  回転ニップル
１８  ナット
【図１】
2006138191.tif 000003
【図２】
2006138191.tif 000004
【図３】
2006138191.tif 000005
【図４】
2006138191.tif 000006
【図５】
2006138191.tif 000007